(57)【特許請求の範囲】
【請求項１】
（Ａ）過酸化水素あるいは水溶液中で過酸化水素を生成する過酸化物の含有量が過酸化水素として０．５〜６０重量％、（Ｂ）シアン酸塩の含有量が０．２〜３０重量％、を必須成分として含有し、その水溶液のｐＨが７〜１３であることを特徴とする自動車用の車体又は電気機器の塗装面洗浄のための水アカ用の洗浄剤組成物。
【請求項２】
請求項１記載の水アカ用の洗浄剤組成物１００重量部に非イオン界面活性剤、または陰イオン界面活性剤０．１〜３０重量部を含有することを特徴とする自動車用の車体又は電気機器の塗装面洗浄のための水アカ用の洗浄剤組成物。
【発明の詳細な説明】
【０００１】
【発明の属する技術分野】
本発明は自動車用の車体、または電気機器等の塗装面の汚れを効果的に除去する水アカ用の洗浄剤組成物に関する。
【０００２】
【従来の技術】
自動車、電気機器等は一般にその表面は美しく塗装されている。特に自動車では、好みに応じてソリッド塗装、メタリック塗装、パールマイカ塗装等の各種の仕上げがされ、美しい外観、光沢等で顧客の需要に応じている状況にある。
しかし、これら塗装されたものは、使用初めには、美しい美観を保っているものの、使用中、大気中の汚れを含んだ雨、あるいはホコリ等が付着し塗装表面に汚れが生じて来る。これら汚れは初期の段階では、水洗あるいは拭き取り等で容易に除去されるものの、次第に塗装面から除去されにくい水アカ等が生じ、初期の外観、光沢を失って来る。
上記汚れを除去するために、従来より各種の洗浄剤組成物が使用されてきた。例えば界面活性剤、溶剤、水、ワックス等を主成分とし、常温で流動性を有するものが用いられていた。しかし、これらの洗浄剤組成物を用いても、表面に形成された水アカ等の汚れを除去することは困難である。この為、洗浄剤組成物中に、アルミナ、ケイソウ土等の研磨剤を用いたものも使用されている。研磨剤を加えることにより、頑固な汚れである水アカ等は除去されるようになったが、同時に研磨剤の使用により塗装面が損傷を受け、初期の美観を復元できないという欠点が生じてきた。
以上のように研磨剤を使用しないで塗装面に損傷を与えずに、しかも頑固な汚れである水アカ等を除去しうる洗浄剤組成物が市場から望まれている状況にある。
【０００３】
【発明が解決しようとする課題】
本発明は、頑固な汚れである水アカ等を効果的に除去し、しかも塗装表面に損傷を与えない、自動車用の車体又は電気機器の塗装面洗浄のための水アカ用の洗浄剤組成物を提供することにある。
【０００４】
【課題を解決するための手段】
本発明者らは上記課題について鋭意研究の結果、過酸化水素あるいは水溶液中で過酸化水素を生成する過酸化物とシアン酸塩を含む溶液で、溶液のｐＨをアルカリ性とした組成物が水アカ等に対して飛躍的に高い洗浄力を持つことを見いだし、本発明を完成させた。尚、本発明者の１人は、先に特願平７−７７０７４号において、過酸化水素とシアン酸塩との組成物のｐＨが７〜１３であるとき、カビの除去効果が優れていることを認めたが、該組成物が本願の課題である用途に使用できるという記載は皆無である。すなわち、本発明は（Ａ）過酸化水素あるいは水溶液中で過酸化水素を生成する過酸化物、（Ｂ）シアン酸塩を含有する水溶液であって、その水溶液のｐＨが７〜１３であることを特徴とする自動車用の車体又は電気機器の塗装面洗浄のための水アカ用の洗浄剤組成物である。
【０００５】
【発明の実施形態】
（Ａ）過酸化水素あるいは水溶液中で過酸化水素を生成する過酸化物としては、市販されている過酸化水素水溶液及び炭酸ソーダと過酸化水素がモル比２：３で付加した炭酸ソーダ過酸化水素付加物、過ほう酸ソーダー水和物、過ほう酸ソーダ四水和物が例示される。本発明の過酸化水素としての含有量は０．５〜６０重量％であり、好ましくは０．５〜３０重量％、さらに好ましくは０．５〜１０重量％である。実用上は１〜６重量％が最も好ましい。含有量がこの範囲より少ないと洗浄力が低く、この範囲より多いと取り扱いが難しくなる。
（Ｂ）シアン酸塩としてはシアン酸のアルカリ金属塩、シアン酸のアンモニウム塩であり、シアン酸カリウム、シアン酸ナトリウム、シアン酸アンモニウムが例示でき、その１種または２種以上を使用する。シアン酸塩の含有量は０．２〜３０重量％であり、好ましくは０．５〜１０重量％、さらに好ましくは０．５〜５重量％である。シアン酸塩は市販の固体または水溶液が使用できる。
水アカ用の洗浄剤組成物の水溶液のｐＨを調整することは高い洗浄力を得るためには必須の条件である。水アカ用の洗浄剤組成物の水溶液のｐＨは７〜１３であり、好ましくは８〜１３、さらに好ましくは８．５〜１３である。ｐＨが７以下では洗浄効果が低下し、ｐＨが１３以上になると組成物の安定性及び、取り扱い等の問題が生じ好ましくない。
水アカ用の洗浄剤組成物の水溶液のｐＨを調整するためにアルカリ剤を加えてもよく、アルカリ剤としてはアルカリ金属水酸化物または珪酸ソーダ、珪酸カリウム等のアルカリ金属珪酸塩が使用できる。
【０００６】
本発明の水アカ用の洗浄剤組成物は、（Ａ）過酸化水素あるいは水溶液中で過酸化水素を生成する過酸化物と（Ｂ）シアン酸塩に水、水溶性溶剤、アルカリ剤等を加えて水溶液、またはスラリー状態として使用される。
本発明の水アカ用の洗浄剤組成物には、さらに界面活性剤を添加することが好ましい。界面活性剤の添加により塗装に対する濡れ性が向上し、ムラのない洗浄効果を得ることができる。界面活性剤としてはポリオキシエチレンアルキルエーテル、ポリオキシエチレン脂肪酸エステル、アミンオキサイド等の非イオン界面活性剤、石鹸、アルキル硫酸塩、アルキルベンゼンスルホン酸塩等の陰イオン界面活性剤が例示される。界面活性剤の添加量は水アカ用の洗浄剤組成物１００重量部に０．１〜３０重量部であり、好ましくは０．３〜１０重量部、さらに好ましくは０．５〜５重量部である。
また、陽イオン界面活性剤を使用すると、組成物の安定性が悪くなるので好ましくない。
本発明の水アカ用の洗浄剤組成物は水溶液またはスラリー状態として使用され＜水アカ等の付着した塗装面に対してスプレーによる吹き付け、スポンジまたは刷毛等による塗布をすることにより、効果的に洗浄することができる。
【０００７】
【実施例】
以下、本発明の実施例、比較例を示すが、本発明はこれら実施例に限定されるものではない。
実施例１
過酸化水素濃度が３．０重量％、シアン酸カリウム濃度が５．０重量％となるように各成分を水に混合溶解してｐＨ９．０の水アカ用の洗浄剤組成物１を得た。
実施例２
過酸化水素濃度が１０．０重量％、シアン酸カリウム濃度が５．０重量％となるように各成分を水に混合溶解してｐＨ８．８の水アカ用の洗浄剤組成物２を得た。
実施例３
過酸化水素濃度が３．０重量％、シアン酸カリウム濃度が２．０重量％となるように各成分を水に混合溶解してｐＨ８．９の水アカ用の洗浄剤組成物３を得た。
実施例４
過酸化水素濃度が３．０重量％、シアン酸カリウム濃度が５．０重量％、メタけい酸ソーダが２．５重量％となるように各成分を水に混合溶解してｐＨ１１．０の水アカ用の洗浄剤組成物４を得た。
実施例５
実施例１の水アカ用の洗浄剤組成物１００重量部にポリオキシエチレンアルキルエーテル（エチレンオキサイド７モル付加物）２重量部を添加、混合してｐＨ８．９の水アカ用の洗浄剤組成物５を得た。
実施例６
実施例１の水アカ用の洗浄剤組成物１００重量部にドデシルベンゼンスルホン酸ソーダ２重量部を添加、混合してｐＨ８．９の水アカ用の洗浄剤組成物６を得た。
【０００８】
比較例１
過酸化水素濃度が３．０重量％、メタけい酸ソーダが２．５重量％となるように各成分を水に混合溶解してｐＨ１１．０の水アカ用の洗浄剤組成物（比１）を得た。
比較例２
過酸化水素濃度が３．０重量％、シアン酸カリウム濃度が５．０重量％、苛性ソーダが１０．０重量％となるように各成分を水に混合溶解してｐＨ１３．７の水アカ用の洗浄剤組成物（比２）を得た。
比較例３
水７０．０重量％、ケロシン１８．０重量％、オレイン酸０．８重量％、アミノアルコール１．０重量％、水溶性増粘剤（アクリル酸系重合体、Ｂ．Ｆ．Ｇｏｏｄｒｉｃｈ社製  商品名カーボポール）０．２重量％、ケイソウ土１０．０重量％を混合してエマルジョンの水アカ用の洗浄剤組成物（比３）を得た。
【０００９】
以上、実施例及び比較例で得られた水アカ用の洗浄剤組成物１〜６及び比１〜３を使用し、次に示す試験方法によりその効果を判定した。
＜塗装表面の洗浄効果と塗装表面への影響の判定方法＞
通常の塗装方法に従って作製したＪＩＳに規定する鋼板ＳＰＣＣ−ＳＤで厚さ０．８ｍｍのメラミンアルキッド白色塗装板（日本タクト社製  ＳＰＣＣ−ＳＤ３００ｍｍ×３００ｍｍ）にジメチルシリコーンオイル５００ｃｓをうすく塗布して乾いたタオルで拭き取ったものを屋外に３０日間放置させた。塗装板の表面に水アカの付着しているのを確認して試験片とした。
試験片３枚を１組とし、これに実施例及び比較例で得た水あか用の洗浄剤組成物をスポンジで各試験片の表面に塗布し、３０分後にタオルで拭き取った後、各試験片の洗浄性、塗装表面への影響を評価した。
評価方法は、目視判定により次の基準で判断し、結果を表１に示した。
0003567029.tif 000002
【００１０】
【表１】
0003567029.tif 000003
【００１１】
【発明の効果】
表１より、本発明の水アカ用の洗浄剤組成物は、塗装面に損傷を与えずに頑固な汚れである水アカ等を効果的に除去できることを示している。